(57)【要約】【課題】複数のデータ記録層を有する光ディスクを扱う際に待機時間を確実に短縮すると共にコストの増大を抑制することができる光ディスク装置及び光ディスクを提供する。【解決手段】複数のデータ記録層を有する光ディスク２は、特定のデータ記録層に、他のデータ記録層に対してデータの読み出し又は書き込みを行うための光ディスク装置１の動作条件の調整値を記録している。光ディスク装置１は、光ディスク２の特定のデータ記録層からデータを読み出すために動作条件を調整し、特定のデータ記録層に記録された調整値を読み出し、読み出した調整値を用いて、他のデータ記録層に対してデータの読み出し又は書き込みを行うための動作条件を調整する。また光ディスク装置１は、データ処理を終了する際に、他のデータ記録層に係る動作条件の調整値を、光ディスク２の特定のデータ記録層に記録する。【選択図】図１
2011165270.tif 000002
【特許請求の範囲】
【請求項１】
複数のデータ記録層を有する光ディスクに対してデータの読み出し又は書き込みを行う光ディスク装置において、
前記光ディスクが有する一のデータ記録層からデータを読み出すための動作条件を調整する手段と、
他のデータ記録層に対してデータの読み出し又は書き込みを行うための動作条件の調整値が前記一のデータ記録層に記録されているか否かを判定する判定手段と、
前記調整値が前記一のデータ記録層に記録されていないと前記判定手段が判定した場合に、前記他のデータ記録層に対してデータの読み出し又は書き込みを行うための動作条件を調整する手段と、
前記調整値が前記一のデータ記録層に記録されていると前記判定手段が判定した場合に、記録されている前記調整値に応じて、前記他のデータ記録層に対してデータの読み出し又は書き込みを行うための動作条件を調整する手段と
を備えることを特徴とする光ディスク装置。
【請求項２】
前記他のデータ記録層に対してデータの読み出し又は書き込みを行うための動作条件の調整値を、前記一のデータ記録層に記録する記録手段を更に備えること
を特徴とする請求項１に記載の光ディスク装置。
【請求項３】
温度を測定する手段を更に備え、
前記記録手段は、前記他のデータ記録層に対してデータの読み出し又は書き込みを行うための動作条件の調整値を、測定した温度に関連付けて前記一のデータ記録層に記録する手段を有し、
前記判定手段は、測定した温度に関連付けられた前記調整値が前記一のデータ記録層に記録されているか否かを判定する手段を有すること
を特徴とする請求項２に記載の光ディスク装置。
【請求項４】
前記記録手段は、前記他のデータ記録層に対してデータの読み出し又は書き込みを行うための動作条件の調整値を、自身を識別する識別情報に関連付けて前記一のデータ記録層に記録する手段を有し、
前記判定手段は、自身を識別する識別情報に関連付けられた前記調整値が前記一のデータ記録層に記録されているか否かを判定する手段を有すること
を特徴とする請求項２又は３に記載の光ディスク装置。
【請求項５】
複数のデータ記録層を有する光ディスクにおいて、
一のデータ記録層に、他のデータ記録層に対して光ディスク装置がデータの読み出し又は書き込みを行うための動作条件の調整値を記録してあること
を特徴とする光ディスク。
【請求項６】
前記他のデータ記録層の一部又は全部は読み出し専用であることを特徴とする請求項５に記載の光ディスク。
【請求項７】
前記調整値は、温度に関連付けて記録してあることを特徴とする請求項５又は６に記載の光ディスク。
【請求項８】
前記調整値は、光ディスク装置を識別する識別情報に関連付けて記録してあることを特徴とする請求項５から７までのいずれか一つに記載の光ディスク。
【発明の詳細な説明】
【技術分野】
【０００１】
本発明は、複数のデータ記録層を有する光ディスクに対してデータの読み出し又は書き込みを行う光ディスク装置、及び複数のデータ記録層を有する光ディスクに関する。
【背景技術】
【０００２】
従来、ＡＶ（オーディオ・ビジュアル）装置又はＰＣ（パーソナルコンピュータ）等で利用するデータを記録する着脱可能な記録媒体として、ＣＤ（Compact Disc）、ＤＶＤ（Digital Versatile Disk）又はＢＤ（Blu-ray Disc（登録商標））等の光ディスクが広く利用されている。光ディスクに対してデータの読み出し又は書き込みを行う光ディスク装置は、光ディスクを回転駆動させ、光ディスクにレーザー光を照射し、レーザー光を用いてデータの読み出し又は書き込みを行う。装着された光ディスクに対してデータの読み出し又は書き込みを行う際、光ディスク装置は、まず最初に、データの読み出し又は書き込みを可能にするために動作条件の調整を行う必要がある。例えば、レーザーの出力の調整、光ディスクにレーザー光の焦点を合わせるフォーカスの調整、光ディスク上のデータトラックにレーザー光を追随させるトラッキングの調整、及びレーザー光の収差の調整等である。光ディスク装置は、動作条件の調整が終了した後で、データの読み出し又は書き込みを開始する。通常、動作条件の調整には十〜数十秒程度の時間を要し、その間の時間は、光ディスク装置は、データの読み出し又は書き込みを待機する必要がある。
【０００３】
光ディスクに対してデータの読み出し又は書き込みを可能にするための光ディスク装置の動作条件は、光ディスクの反り及び反射率等に影響され、個々の光ディスクによって異なる。特許文献１には、光ディスクに固有の情報として動作条件の調整値を光ディスクに記録しておき、光ディスク装置は、光ディスクから読み出した調整値に応じて動作条件を調整する技術が開示されている。また特許文献２には、光ディスク装置が接続されたホストコンピュータに、一度調整した動作条件の調整値を記憶し、２度目以降はホストコンピュータに記憶してある調整値を読み出す技術が記載されている。これらの技術により、動作条件の調整のために必要な待機時間が短縮される。
【先行技術文献】
【特許文献】
【０００４】
【特許文献１】特開２００６−３１９１１号公報
【特許文献２】特開２００１−３０７３３０号公報
【発明の概要】
【発明が解決しようとする課題】
【０００５】
現在、データ記録層を２層にした光ディスクが利用されており、今後は光ディスクの多層化が予想される。複数のデータ記録層を有する光ディスクを光ディスク装置で使用するためには、フォーカスの調整等の動作条件の調整を各データ記録層別に行う必要がある。このため、複数のデータ記録層を有する光ディスクを使用する際には、動作条件の調整のために必要な待機時間がより長大になる。従って、光ディスク装置で動作条件を調整するために必要な待機時間をより短縮することができる技術が要望されている。
【０００６】
特許文献１に記載の技術を利用した場合、光ディスクに記録された情報を光ディスク装置で読み出すためには、先に動作条件を調整する必要がある。光ディスク装置は、まず動作条件の仮調整を行い、動作条件の調整値を光ディスクから読み出し、読み出した調整値を用いて動作条件の本調整を行う。このように、動作条件の調整が二度手間となり、効果的に待機時間を短縮することができないという問題がある。また光ディスク装置の適切な動作条件は、個々の光ディスクによって異なるだけでなく、個々の光ディスク装置によっても異なる。特許文献１に記載の技術では、光ディスクに記録された動作条件の調整値は、光ディスクに適切な値ではあるものの、光ディスク装置に適切な値であるとは限らないので、動作条件を調整するために必要な待機時間を短縮できない虞があるという問題がある。
【０００７】
また、特許文献２に記載の技術で複数のデータ記録層を有する光ディスクを扱った場合では、複数のデータ記録層の夫々に対する調整値をホストコンピュータに記憶する必要がある。光ディスク装置は、通常、複数の光ディスクを取り扱うので、ホストコンピュータは、複数の光ディスクの夫々について複数のデータ記録層に係る調整値を記憶することになる。このため、ホストコンピュータは多大な容量のメモリを備える必要があり、光ディスクを扱うシステムのコストが増大するという問題がある。
【０００８】
本発明は、斯かる事情に鑑みてなされたものであって、その目的とするところは、一のデータ記録層に他のデータ記録層に係る動作条件の調整値を光ディスクに記録することにより、複数のデータ記録層を有する光ディスクを扱う際に待機時間を確実に短縮すると共にコストの増大を抑制することができる光ディスク装置、及び該光ディスク装置で利用する光ディスクを提供することにある。
【課題を解決するための手段】
【０００９】
本発明に係る光ディスク装置は、複数のデータ記録層を有する光ディスクに対してデータの読み出し又は書き込みを行う光ディスク装置において、前記光ディスクが有する一のデータ記録層からデータを読み出すための動作条件を調整する手段と、他のデータ記録層に対してデータの読み出し又は書き込みを行うための動作条件の調整値が前記一のデータ記録層に記録されているか否かを判定する判定手段と、前記調整値が前記一のデータ記録層に記録されていないと前記判定手段が判定した場合に、前記他のデータ記録層に対してデータの読み出し又は書き込みを行うための動作条件を調整する手段と、前記調整値が前記一のデータ記録層に記録されていると前記判定手段が判定した場合に、記録されている前記調整値に応じて、前記他のデータ記録層に対してデータの読み出し又は書き込みを行うための動作条件を調整する手段とを備えることを特徴とする。
【００１０】
本発明に係る光ディスク装置は、前記他のデータ記録層に対してデータの読み出し又は書き込みを行うための動作条件の調整値を、前記一のデータ記録層に記録する記録手段を更に備えることを特徴とする。
【００１１】
本発明に係る光ディスク装置は、温度を測定する手段を更に備え、前記記録手段は、前記他のデータ記録層に対してデータの読み出し又は書き込みを行うための動作条件の調整値を、測定した温度に関連付けて前記一のデータ記録層に記録する手段を有し、前記判定手段は、測定した温度に関連付けられた前記調整値が前記一のデータ記録層に記録されているか否かを判定する手段を有することを特徴とする。
【００１２】
本発明に係る光ディスク装置は、前記記録手段は、前記他のデータ記録層に対してデータの読み出し又は書き込みを行うための動作条件の調整値を、自身を識別する識別情報に関連付けて前記一のデータ記録層に記録する手段を有し、前記判定手段は、自身を識別する識別情報に関連付けられた前記調整値が前記一のデータ記録層に記録されているか否かを判定する手段を有することを特徴とする。
【００１３】
本発明に係る光ディスクは、複数のデータ記録層を有する光ディスクにおいて、一のデータ記録層に、他のデータ記録層に対して光ディスク装置がデータの読み出し又は書き込みを行うための動作条件の調整値を記録してあることを特徴とする。
【００１４】
本発明に係る光ディスクは、前記他のデータ記録層の一部又は全部は読み出し専用であることを特徴とする。
【００１５】
本発明に係る光ディスクは、前記調整値は、温度に関連付けて記録してあることを特徴とする。
【００１６】
本発明に係る光ディスクは、前記調整値は、光ディスク装置を識別する識別情報に関連付けて記録してあることを特徴とする。
【００１７】
本発明においては、複数のデータ記録層を有する光ディスクに対してデータの読み出し又は書き込みを行う光ディスク装置は、光ディスクの一のデータ記録層から、他のデータ記録層に対してデータの読み出し又は書き込みを行うための動作条件の調整値を読み出し、読み出した調整値を用いて、動作条件を調整する。一のデータ記録層に記録された調整値を用いて、他のデータ記録層に対してデータの読み出し又は書き込みを行うための動作条件を調整するので、光ディスク装置は、動作条件を調整するために必要な待機時間を確実に短縮することができる。
【００１８】
また本発明においては、光ディスク装置は、光ディスクの各データ記録層に対するデータの読み出し又は書き込みを行うための動作条件の調整値を、光ディスクの一のデータ記録層に記録する。これにより、光ディスク及び光ディスク装置に適した調整値が記録され、光ディスク装置は、同一の光ディスクを再度利用する際には、記録してある調整値を用いて、動作条件を調整するために必要な待機時間を確実に短縮することができる。
【００１９】
また本発明においては、光ディスク装置は、内部の温度を測定し、動作条件の調整値を温度に関連付けて光ディスクに記録し、現在の温度を含む温度範囲に関連付けて記録されている調整値を用いて、動作条件を調整する。光ディスク装置内の温度によって最適な動作条件は異なるものの、温度に関連付けた調整値を光ディスクに記録しておくことにより、光ディスク装置は、温度に適した動作条件を調整するために必要な待機時間を短縮することができる。
【００２０】
また本発明においては、光ディスク装置は、個々の光ディスク装置を識別する識別情報に関連付けて動作条件の調整値を光ディスクに記録し、自身の識別情報に関連付けて記録されている調整値を用いて、動作条件を調整する。個々の光ディスク装置によって、最適な動作条件は異なるものの、各光ディスク装置の識別情報に関連付けた調整値を光ディスクに記録しておくことにより、同一の光ディスク装置で光ディスクを再度利用する際には、光ディスク装置は、動作条件を調整するために必要な待機時間を短縮することができる。
【００２１】
また本発明においては、光ディスクのデータ記録層には、読み出し専用のデータ記録層が含まれる。読み出し専用のデータ記録層には、プログラム等のデータが記録されており、光ディスク装置のホスト装置は、プログラム等のデータを利用したデータ処理が可能になる。
【発明の効果】
【００２２】
本発明にあっては、複数のデータ記録層を有する光ディスクを扱う光ディスク装置は、動作条件を調整するために必要な待機時間を確実に短縮することができるので、光ディスクに対してデータの読み出し又は書き込みを開始するまでの待機時間を短縮することができる。特に、多数のデータ記録層を有する光ディスクを扱う場合においても、光ディスク装置は待機時間を短縮することができる。従って、本発明により、待機時間が長いことに起因するユーザのストレスを軽減することが可能となる。また本発明では、光ディスク装置の動作条件の調整値を光ディスクに記録するので、光ディスク装置及び光ディスク装置のホスト装置は、調整値を記憶するためのメモリが不必要となる。従って、本発明により、光ディスク装置の動作条件を調整するために必要な待機時間を短縮しながらも、光ディスク装置及び光ディスク装置のホスト装置のコストの増大を抑制することができる等、本発明は優れた効果を奏する。
【図面の簡単な説明】
【００２３】
【図１】実施の形態１に係る光ディスク装置の内部構成を示すブロック図である。
【図２】実施の形態１に係る光ディスクの構成を示す模式図である。
【図３】ＲＥ層の構成を示す模式図である。
【図４】実施の形態１に係る光ディスク装置が実行する光ディスクを用いたデータ処理の開始時の手順を示すフローチャートである。
【図５】実施の形態１に係る光ディスク装置が実行する光ディスクを用いたデータ処理の終了時の手順を示すフローチャートである。
【図６】実施の形態２に係る光ディスク装置の内部構成を示すブロック図である。
【図７】実施の形態２に係る調整値記録領域の記録内容例を示す概念図である。
【図８】実施の形態２に係る光ディスク装置が実行する光ディスクを用いたデータ処理の開始時の手順を示すフローチャートである。
【図９】実施の形態３に係る調整値記録領域の記録内容例を示す概念図である。
【図１０】実施の形態３に係る光ディスク装置が実行する光ディスクを用いたデータ処理の開始時の手順を示すフローチャートである。
【図１１】実施の形態４に係る光ディスクの構成を示す模式図である。
【図１２】実施の形態４に係る調整値記録領域の記録内容例を示す概念図である。
【図１３】実施の形態４に係る光ディスク装置が実行する光ディスクを用いたデータ処理の開始時の手順を示すフローチャートである。
【発明を実施するための形態】
【００２４】
以下本発明をその実施の形態を示す図面に基づき具体的に説明する。
（実施の形態１）
図１は、実施の形態１に係る光ディスク装置の内部構成を示すブロック図である。本発明の光ディスク装置１は、着脱可能な光ディスク２に対してデータの読み出し及び書き込みを行う光ディスクドライブであり、ＡＶ装置、ゲーム機又はＰＣ等のホスト装置に内蔵又は接続される構成となっている。光ディスク装置１は、光ディスク装置１全体の動作制御及び光ディスク２から読み出したデータの処理等の各種の情報処理を実行する処理部１１を備えており、処理部１１はＣＰＵ又はＤＳＰを含んで構成されている。処理部１１には、情報処理に伴う一時的なデータを記憶する作業用メモリ１５と、情報処理を実行するために必要な各種のプログラム及びデータを記憶する不揮発性メモリ１６とが接続されている。作業用メモリ１５は、例えばＤＲＡＭで構成され、不揮発性メモリ１６は、例えばフラッシュメモリで構成されている。また処理部１１には、データを入出力するインタフェース部１４が接続され、更にピックアップ１２及び駆動部１３が接続されている。
【００２５】
また光ディスク装置１は、図示しない出し入れ可能なトレイ又はスロットインの機構を備え、トレイ又はスロットインの機構を用いて光ディスク２を装着されることが可能な構成となっている。駆動部１３は、スピンドルモータ等を用いて装着された光ディスク２を駆動する。ピックアップ１２は、光ディスク２にレーザー光を照射し、光ディスク２に対してデータの読み出し及び書き込みを行う。インタフェース部１４は、光ディスク装置１が内蔵されたホスト装置における上位のデータ処理系であるホスト処理系３、又は光ディスク装置１が接続される外部のホスト装置におけるデータ処理系であるホスト処理系３に接続される。インタフェース部１４は、データの読み出し指示等の各種の処理指示及び光ディスク２に書き込むべきデータをホスト処理系３から入力され、光ディスク２から読み出したデータをホスト処理系３へ出力する。
【００２６】
本実施の形態に係る光ディスク装置１は、２層のデータ記録層を有する光ディスク２を扱うことが可能である。図２は、実施の形態１に係る光ディスク２の構成を示す模式図である。光ディスク２は、２層構造となっており、２層のデータ記録層として、データの書き込み及び書き換えを行うことができるＲＥ（Rewritable）層２１と、読み出し専用のＲＯＭ（Read Only Memory）層２２とを有する。ＲＯＭ層２２は、データが予め記録されており、記録されているデータを書き換えることはできない。なお、ＲＥ層２１は、データの書き込みができるものの書き換えができないデータ記録層であってもよい。ＲＯＭ層２２には各種のプログラム又はデータが記録されており、ＲＥ層２１には任意のデータを記録することが可能である。例えば、光ディスク２は映画用の光ディスクであり、ＲＯＭ層２２には映画のコンテンツデータが記録されており、ＲＥ層２１には映画に対するユーザのコメントが記録される。また例えば、光ディスク２はゲーム用の光ディスクであり、ＲＯＭ層２２にはゲームのプログラムが記録されており、ＲＥ層２１にはゲームのセーブデータが記録される。また例えば、光ディスク２は学習型プログラム用の光ディスクであり、ＲＯＭ層２２には学習型プログラムが記録されており、ＲＥ層２１には学習内容のデータが記録される。
【００２７】
このように、ＲＥ層２１及びＲＯＭ層２２を有する光ディスク２を利用することにより、光ディスク装置１のホスト装置は、ＲＯＭ層２２に記録されたデータ又はプログラムを利用したデータ処理が可能になると共に、関連するデータの記録も可能となる。ホスト装置では、データ処理に必要なデータ若しくはプログラム又はデータ処理に関連するデータを記憶するためのハードディスク等の記憶手段を、必ずしも備える必要がない。従って、データ処理を実行する機能を維持しながらも、ホスト装置の構造を簡素にし、ホスト装置のコストを低減することが可能となる。また同一の光ディスク２を複数の光ディスク装置１で利用することにより、データ又はプログラムのコピーを伴うことなく同一のデータ処理を複数のホスト装置で実行することが可能となる。
【００２８】
図３は、ＲＥ層２１の構成を示す模式図である。ＲＥ層２１には、ＲＯＭ層２２に記録されたデータを光ディスク装置１で読み出すための光ディスク装置１の動作条件の調整値を記録する領域である調整値記録領域２３が含まれている。例えば、調整値記録領域２３には、ピックアップ１２が有するレーザーの出力の調整、フォーカスの調整、トラッキングの調整、及びレーザー光の収差の調整等を行うための各種の部品に対する制御信号値が調整値として記録される。調整値記録領域２３は、ＲＥ層２１中の予め定められたアドレス範囲に設けられている。未使用の光ディスク２は、調整値記録領域２３にデータが記録されていない形態であってもよく、調整値記録領域２３に光ディスク装置の動作条件の調整値として何らかの初期値が記録されている形態であってもよい。なお、ＲＥ層２１がデータの書き換えができないデータ記録層である場合は、未使用の光ディスク２は、調整値記録領域２３にデータが記録されていない形態となる。
【００２９】
次に、２層のデータ記録層を有する光ディスク２を扱う光ディスク装置１の動作を説明する。図４は、実施の形態１に係る光ディスク装置１が実行する光ディスク２を用いたデータ処理の開始時の手順を示すフローチャートである。光ディスク装置１は、図示しないトレイの出し入れ若しくはスロットインの機構を用いて光ディスク２を装着されるか、又はホスト処理系３からデータ処理の開始の指示をインタフェース部１４で入力された場合に、データ処理を開始する。処理部１１は、光ディスク２を駆動部１３に回転させる処理を開始し、光ディスク２のＲＥ層２１に対してデータの読み出し及び書き込みを行うための動作条件の調整を行う（Ｓ１１）。ステップＳ１１での調整結果は、作業用メモリ１５に記憶される。動作条件の調整が終了した後で、処理部１１は、ピックアップ１２を用いて、光ディスク２のＲＥ層２１に含まれる調整値記録領域２３からデータを読み出す（Ｓ１２）。処理部１１は、次に、ＲＯＭ層２２からデータの読み出しを行うための動作条件の調整値が調整値記録領域２３に記録されているか否かを判定する（Ｓ１３）。ステップＳ１３では、調整値記録領域２３から読み出したデータが調整値であるか否かを判定することによって判定を行う。なお、光ディスク装置１は、光ディスク２の種類を示すデータ等、光ディスク２の調整値記録領域２３以外の部分から読み出したデータに基づいて、動作条件の調整値がＲＥ層２１に記録されているか否かを判定する処理を行う形態であってもよい。
【００３０】
ステップＳ１３で、調整値記録領域２３に調整値が記録されている場合は（Ｓ１３：ＹＥＳ）、処理部１１は、調整値を調整値記録領域２３から読み出し、読み出した調整値を用いて、ＲＯＭ層２２からデータの読み出しを行うための動作条件を調整する（Ｓ１４）。ステップＳ１４では、処理部１１は、読み出した調整値に動作条件を合わせる処理を行ってもよく、また、読み出した調整値を動作条件の初期値とし、動作条件を微調整する処理を行ってもよい。ステップＳ１３で、調整値記録領域２３に調整値が記録されていない場合は（Ｓ１３：ＮＯ）、処理部１１は、ＲＯＭ層２２からデータの読み出しを行うための光ディスク装置１の動作条件を調整する（Ｓ１５）。ステップＳ１４又はＳ１５での調整結果は、作業用メモリ１５に記憶される。ステップＳ１４又はＳ１５が終了した後は、処理部１１は、ＲＯＭ層２２からのデータの読み出し、又はＲＥ層２１に対するデータの読み出し若しくは書き込みを開始し（Ｓ１６）、データ処理の開始時の処理を終了する。
【００３１】
図５は、実施の形態１に係る光ディスク装置１が実行する光ディスク２を用いたデータ処理の終了時の手順を示すフローチャートである。光ディスク装置１は、ホスト処理系３からデータ処理の終了の指示又は光ディスク２の排出の指示をインタフェース部１４で入力された場合に、データ処理を終了するための処理を実行する。処理部１１は、ピックアップ１２を用いて、光ディスク２のＲＥ層２１に含まれる調整値記録領域２３からデータを読み出す（Ｓ２１）。処理部１１は、次に、ＲＯＭ層２２からデータの読み出しを行うための動作条件の調整値が調整値記録領域２３に記録されているか否かを判定する（Ｓ２２）。調整値記録領域２３に調整値が記録されている場合は（Ｓ２２：ＹＥＳ）、処理部１１は、現在の調整値、即ち作業用メモリ１５に記憶している調整値を調整値記録領域２３に書き込むことによって、光ディスク装置１の動作条件を更新する（Ｓ２３）。なお、処理部１１は、ステップＳ２３で、調整値記録領域２３に記録されている調整値と現在の調整値とが等しい場合には調整値の書き込みを中止する処理を行ってもよい。また、処理部１１は、ステップＳ２３で、調整値を更新するか否かの指示をユーザから受け付け、指示に従って調整値の更新又は更新の中止を行ってもよい。また、処理部１１は、ステップＳ２３で、データ処理を所定回数終了する都度、調整値を更新し、その他の場合には更新を中止する処理を行ってもよい。
【００３２】
ステップＳ２２で、調整値記録領域２３に調整値が記録されていない場合は（Ｓ２２：ＮＯ）、処理部１１は、ＲＯＭ層２２からデータの読み出しを行うための光ディスク装置１の動作条件をＲＥ層２１の調整値記録領域２３に記録する（Ｓ２４）。ステップＳ２３又はＳ２４が終了した後は、処理部１１は、光ディスク２を用いたデータ処理を終了する（Ｓ２５）。例えば、ステップＳ２５では、処理部１１は、光ディスク２を排出する処理を行う。
【００３３】
以上詳述した如く、本実施の形態においては、光ディスク２のＲＥ層２１に光ディスク装置１の動作条件の調整値を記録しておき、光ディスク装置１は、光ディスク２から調整値を読み出し、読み出した調整値を用いて、ＲＯＭ層２２からデータの読み出しを行うための動作条件を調整する。予め記録された調整値を用いて動作条件を調整することにより、光ディスク装置１は、ＲＯＭ層２２からデータを読み出すべく動作条件を調整するために必要な待機時間を確実に短縮することができる。また本実施の形態に係る光ディスク装置１は、光ディスク２を用いたデータ処理を終了する際に、ＲＯＭ層２２からデータの読み出しを行うための動作条件の調整値を光ディスク２に記録する。これにより、光ディスク２及び光ディスク装置１に適した動作条件の調整値が保存される。光ディスク装置１は、同一の光ディスク２を再度利用する際には、記録してある調整値を用いて、動作条件を調整するために必要な待機時間を確実に短縮することができる。このように、本発明の光ディスク装置１は、複数のデータ記録層を有する光ディスク２に対してデータの読み出し又は書き込みを開始するまでの待機時間を短縮することができる。従って、本発明により、待機時間が長いことに起因するユーザのストレスを軽減することが可能となる。
【００３４】
また本発明では、光ディスク装置１の動作条件の調整値を光ディスク２に記録するので、光ディスク装置１内、又は光ディスク装置１のホスト装置に調整値を記憶する必要がない。このため、光ディスク装置１及びホスト装置には、光ディスク装置１の動作条件の調整値を記憶するためのメモリが不必要となる。従って、本発明により、光ディスク装置１の動作条件を調整するために必要な待機時間を短縮しながらも、光ディスク装置１及び光ディスク装置１のホスト装置のコストの増大を抑制することができる。また、光ディスク２を複数の光ディスク装置１で使いまわす場合に、どの光ディスク装置１で光ディスク２を使用するときでも、待機時間を短縮することができる。
【００３５】
なお、本実施の形態においては、光ディスク２はＲＥ層２１及びＲＯＭ層２２からなる形態を示したが、本発明に係る光ディスク２は２層ともＲＥ層であってもよい。２層のＲＥ層を有する光ディスク２は、一方のＲＥ層に調整値記録領域２３を設けており、調整値記録領域２３には他方のＲＥ層に対するデータの読み出し及び書き込みを行うための光ディスク装置１の動作条件の調整値を記録する。この光ディスク２を装着した光ディスク装置１は、ステップＳ１１で一方のＲＥ層に対する動作条件の調整を行い、ステップＳ１４又はＳ１５で他方のＲＥ層に対する動作条件の調整を行う。この形態においては、光ディスク装置１は、一方のＲＥ層に記録してある調整値を用いて、他方のＲＥ層に対するデータの読み出し及び書き込みを行うための動作条件の調整を行う。このように、この形態においても、光ディスク装置１は、動作条件を調整するために必要な待機時間を確実に短縮することが可能である。また、２層ともＲＥ層である光ディスクでは、全てのＲＥ層に他のＲＥ層に係る動作条件の調整値を記録してもよい。この光ディスクを用いる場合は、光ディスク装置１は、任意のＲＥ層からデータを読み出すことにより、他のＲＥ層に係る動作条件の調整値を取得することができる。
【００３６】
（実施の形態２）
図６は、実施の形態２に係る光ディスク装置１の内部構成を示すブロック図である。光ディスク装置１は、光ディスク装置１内の温度を測定する温度測定部１７を備える。温度測定部１７は、サーミスタ又は熱電対等の温度センサを用いて構成されている。光ディスク装置１内部のその他の構成は実施の形態１と同様であり、対応する部分に同符号を付してその説明を省略する。また光ディスク２は、ＲＥ層２１及びＲＯＭ層２２からなり、その構成は実施の形態１と同様である。なお、光ディスク２は２層のＲＥ層からなる構成であってもよい。
【００３７】
図７は、実施の形態２に係る調整値記録領域２３の記録内容例を示す概念図である。０℃未満、０℃以上５０℃未満、５０℃以上１００℃未満、及び１００℃以上の温度範囲に関連付けて、夫々に光ディスク装置１の動作条件の調整値が記録されている。光ディスクに対してデータの読み出し又は書き込みを可能にするための光ディスク装置１の動作条件は、温度によって最適条件が異なるので、各温度範囲に関連付けて、適切な動作条件の調整値が記録されている。
【００３８】
図８は、実施の形態２に係る光ディスク装置１が実行する光ディスク２を用いたデータ処理の開始時の手順を示すフローチャートである。光ディスク装置１の処理部１１は、光ディスク２を駆動部１３に回転させる処理を開始し、光ディスク２のＲＥ層２１に対してデータの読み出し及び書き込みを行うための動作条件の調整を行う（Ｓ３１）。動作条件の調整が終了した後で、処理部１１は、ピックアップ１２を用いて、光ディスク２のＲＥ層２１に含まれる調整値記録領域２３からデータを読み出す（Ｓ３２）。処理部１１は、次に、温度測定部１７が測定した温度を示す信号を温度測定部１７から受け付けることによって、光ディスク装置１内の温度を測定する（Ｓ３３）。処理部１１は、次に、温度測定部１７で測定した温度が含まれる温度範囲に関連付けられた動作条件の調整値が調整値記録領域２３に記録されているか否かを判定する（Ｓ３４）。ステップＳ３４では、調整値記録領域２３から読み出したデータに、測定した温度が含まれる温度範囲に関連付けられた調整値があるか否かを判定することによって判定を行う。
【００３９】
ステップＳ３４で、測定した温度が含まれる温度範囲に関連付けられた調整値が記録されている場合は（Ｓ３４：ＹＥＳ）、処理部１１は、調整値を調整値記録領域２３から読み出し、読み出した調整値を用いて、ＲＯＭ層２２からデータの読み出しを行うための動作条件を調整する（Ｓ３５）。ステップＳ３４で、測定した温度が含まれる温度範囲に関連付けられた調整値が記録されていない場合は（Ｓ３４：ＮＯ）、処理部１１は、ＲＯＭ層２２からデータの読み出しを行うための光ディスク装置１の動作条件を調整する（Ｓ３６）。ステップＳ３５又はＳ３６が終了した後は、処理部１１は、ＲＯＭ層２２からのデータの読み出し、又はＲＥ層２１に対するデータの読み出し若しくは書き込みを開始し（Ｓ３７）、データ処理の開始時の処理を終了する。
【００４０】
データ処理の終了時には、光ディスク装置１の処理部１１は、ステップＳ２２で、測定した温度が含まれる温度範囲に関連付けられた動作条件の調整値が調整値記録領域２３に記録されているか否かを判定する。測定した温度が含まれる温度範囲に関連付けられた調整値が記録されている場合は、処理部１１は、ステップＳ２３で、測定した温度が含まれる温度範囲に関連付けられた調整値を更新する。測定した温度が含まれる温度範囲に関連付けられた調整値が記録されていない場合は、処理部１１は、ステップＳ２４で、調整値記録領域２３に、測定した温度が含まれる温度範囲に関連付けてＲＯＭ層２２に係る現在の調整値を記録する処理を行う。なお、２層ともＲＥ層である光ディスク２においては、一方のＲＥ層に設けた調整値記録領域２３に、他方のＲＥ層に対するデータの読み出し及び書き込みを行うための光ディスク装置１の動作条件の調整値を温度範囲別に記録する。
【００４１】
以上詳述した如く、本実施の形態においては、光ディスク装置１の動作条件の調整値を温度範囲別に光ディスク２に記録しておき、光ディスク装置１は、現在の温度を含む温度範囲に関連付けられた調整値を用いて、動作条件を調整する。光ディスク装置１内の温度によって最適な動作条件は異なるものの、温度に関連付けて動作条件の調整値を記録しておくことにより、光ディスク装置１は、温度に適した動作条件を調整するために必要な待機時間を短縮することができる。
【００４２】
（実施の形態３）
実施の形態３においては、個々の光ディスク装置１について動作条件の調整値を光ディスク２に記録する形態を示す。本実施の形態に係る光ディスク装置１の構成は、実施の形態１又は実施の形態２と同様である。但し、本実施の形態に係る光ディスク装置１は、光ディスク装置１自身を識別するための装置ＩＤ（識別情報）を不揮発性メモリ１６に記憶してある。装置ＩＤは、製造番号又はシリアルナンバー等、個々の光ディスク装置１に固有の情報である。
【００４３】
図９は、実施の形態３に係る調整値記録領域２３の記録内容例を示す概念図である。装置Ａ，装置Ｂ，…の複数の光ディスク装置１の夫々を識別するための装置ＩＤに関連付けて、各光ディスク装置１の動作条件の調整値が記録されている。メーカ又は機種の異なる光ディスク装置１は、互いに構造が異なり、また、機種が同じ光ディスク装置１でも適切な動作条件は個別に異なるので、動作条件の調整値は個々の光ディスク装置１で異なる。本実施の形態においては、調整値記録領域２３には、光ディスク２を過去に利用した光ディスク装置１の夫々に係る動作条件の調整値が記録される。なお、各光ディスク装置１に係る調整値は、実施の形態２と同様に、更に温度範囲に関連付けて記録される形態であってもよい。
【００４４】
図１０は、実施の形態３に係る光ディスク装置１が実行する光ディスク２を用いたデータ処理の開始時の手順を示すフローチャートである。光ディスク装置１の処理部１１は、光ディスク２を駆動部１３に回転させる処理を開始し、光ディスク２のＲＥ層２１に対してデータの読み出し及び書き込みを行うための動作条件の調整を行う（Ｓ４１）。処理部１１は、次に、ピックアップ１２を用いて、光ディスク２のＲＥ層２１に含まれる調整値記録領域２３からデータを読み出す（Ｓ４２）。処理部１１は、次に、不揮発性メモリ１６で記憶している光ディスク装置１の装置ＩＤを読み出す（Ｓ４３）。処理部１１は、次に、読み出した装置ＩＤに関連付けられた動作条件の調整値が調整値記録領域２３に記録されているか否かを判定する（Ｓ４４）。ステップＳ４４では、調整値記録領域２３から読み出したデータに、読み出した装置ＩＤに関連付けられた調整値があるか否かを判定することによって判定を行う。
【００４５】
ステップＳ４４で、読み出した装置ＩＤに関連付けられた調整値が記録されている場合は（Ｓ４４：ＹＥＳ）、処理部１１は、調整値を調整値記録領域２３から読み出し、読み出した調整値を用いて、ＲＯＭ層２２からデータの読み出しを行うための動作条件を調整する（Ｓ４５）。ステップＳ４４で、読み出した装置ＩＤに関連付けられた調整値が記録されていない場合は（Ｓ４４：ＮＯ）、処理部１１は、ＲＯＭ層２２からデータの読み出しを行うための光ディスク装置１の動作条件を調整する（Ｓ４６）。ステップＳ４５又はＳ４６が終了した後は、処理部１１は、ＲＯＭ層２２からのデータの読み出し、又はＲＥ層２１に対するデータの読み出し若しくは書き込みを開始し（Ｓ４７）、データ処理の開始時の処理を終了する。
【００４６】
データ処理の終了時には、光ディスク装置１の処理部１１は、ステップＳ２２で、光ディスク装置１の装置ＩＤに関連付けられた動作条件の調整値が調整値記録領域２３に記録されているか否かを判定する。装置ＩＤに関連付けられた調整値が記録されている場合は、処理部１１は、ステップＳ２３で、装置ＩＤに関連付けられた調整値を更新する。装置ＩＤに関連付けられた調整値が記録されていない場合は、処理部１１は、ステップＳ２４で、調整値記録領域２３に、光ディスク装置１の装置ＩＤに関連付けてＲＯＭ層２２に係る現在の調整値を記録する処理を行う。なお、２層ともＲＥ層である光ディスク２においては、一方のＲＥ層に設けた調整値記録領域２３に、他方のＲＥ層に対するデータの読み出し及び書き込みを行うための光ディスク装置１の動作条件の調整値を装置ＩＤに関連付けて記録する。
【００４７】
以上詳述した如く、本実施の形態においては、個々の光ディスク装置１に固有の装置ＩＤに関連付けて光ディスク装置１の動作条件の調整値を光ディスク２に記録しておき、光ディスク装置１は、自身の装置ＩＤに関連付けられた調整値を用いて、動作条件を調整する。光ディスク２を複数の光ディスク装置１で使いまわす場合、光ディスク２は、各光ディスク装置１の動作条件の調整値を各光ディスク装置１の装置ＩＤに関連付けて記録する。このため、個々の光ディスク装置１に最適な動作条件の調整値が光ディスク２に保存される。同一の光ディスク２を同一の光ディスク装置１で複数回使用する場合、光ディスク装置１は、２度目以降、装置ＩＤに関連付けて記録してある調整値を用いて、動作条件を調整するために必要な待機時間を短縮することができる。このように、同一の光ディスク２を使用する複数の光ディスク装置１の夫々において、光ディスク２に対してデータの読み出し又は書き込みを開始するまでの待機時間を短縮することが可能となる。
【００４８】
（実施の形態４）
実施の形態４においては、光ディスク２が多数のデータ記録層を有する形態を示す。図１１は、実施の形態４に係る光ディスク２の構成を示す模式図である。光ディスク２は、ｍ及びｎを実数として、（ｍ＋ｎ）層構造となっており、データ記録層として、ＲＥ層２１１，２１２，…，２１ｎと、ＲＯＭ層２２１，２２２，…，２２ｍとを有している。ＲＥ層２１１には、ＲＥ層２１１以外のデータ記録層に対してデータの読み出し又は書き込みを行うための光ディスク装置１の動作条件の調整値を記録する領域である調整値記録領域２３が含まれている。本実施の形態に係る光ディスク２を扱う光ディスク装置１の構成は、実施の形態１又は実施の形態２と同様である。
【００４９】
図１２は、実施の形態４に係る調整値記録領域２３の記録内容例を示す概念図である。ＲＥ層２１２，…，２１ｎ及びＲＯＭ層２２１，２２２，…，２２ｍの夫々を示す情報に関連付けて、各データ記録層に対してデータの読み出し又は書き込みを行うための光ディスク装置１の動作条件の調整値が記録されている。各データ記録層に対してデータの読み出し又は書き込みを可能にするための光ディスク装置１の動作条件は、データ記録層毎に異なるので、動作条件の調整値はデータ記録層別に記録する必要がある。なお、データ記録層別の調整値は、実施の形態２と同様に、更に温度範囲に関連付けて記録される形態であってもよい。またデータ記録層別の調整値は、実施の形態３と同様に、光ディスク装置１の装置ＩＤに関連付けて記録される形態であってもよい。
【００５０】
図１３は、実施の形態４に係る光ディスク装置１が実行する光ディスク２を用いたデータ処理の開始時の手順を示すフローチャートである。光ディスク装置１の処理部１１は、光ディスク２を駆動部１３に回転させる処理を開始し、光ディスク２のＲＥ層２１１に対してデータの読み出し及び書き込みを行うための動作条件の調整を行う（Ｓ５１）。処理部１１は、次に、ピックアップ１２を用いて、光ディスク２のＲＥ層２１１に含まれる調整値記録領域２３からデータを読み出す（Ｓ５２）。処理部１１は、次に、ＲＥ層２１１以外の他のデータ記録層即ちＲＥ層２１２，…，２１ｎ及びＲＯＭ層２２１，２２２，…，２２ｍの夫々を示す情報に関連付けられた動作条件の調整値が調整値記録領域２３に記録されているか否かを判定する（Ｓ５３）。ステップＳ５３では、調整値記録領域２３から読み出したデータに、ＲＥ層２１１以外の他のデータ記録層の夫々を示す情報に関連付けられた調整値があるか否かを判定することによって判定を行う。
【００５１】
ステップＳ５３で、ＲＥ層２１１以外の他のデータ記録層の夫々を示す情報に関連付けられた調整値が記録されている場合は（Ｓ５３：ＹＥＳ）、処理部１１は、他のデータ記録層に係る調整値を調整値記録領域２３から読み出し、読み出した調整値を用いて、他のデータ記録層の夫々に対してデータの読み出し又は書き込みを行うための動作条件を調整する（Ｓ５４）。ステップＳ５３で、他のデータ記録層の夫々を示す情報に関連付けられた調整値が記録されていない場合は（Ｓ５３：ＮＯ）、処理部１１は、他のデータ記録層の夫々に対してデータの読み出し又は書き込みを行うための動作条件を調整する（Ｓ５５）。ステップＳ５４又はＳ５５が終了した後は、処理部１１は、各データ記録層に対するデータの読み出し又は書き込みを開始し（Ｓ５６）、データ処理の開始時の処理を終了する。なお、調整値記録領域２３に、一部のデータ記録層に係る調整値のみが記録されている場合は、処理部１１は、調整値が記録されているデータ記録層については、読み出した調整値を用いて動作条件を調整する。調整値が記録されていないデータ記録層については、処理部１１は、調整値を用いずに動作条件を調整する。
【００５２】
データ処理の終了時には、光ディスク装置１の処理部１１は、ステップＳ２２で、各データ記録層を示す情報に関連付けられた動作条件の調整値が調整値記録領域２３に記録されているか否かを判定する。各データ記録層を示す情報に関連付けられた調整値が記録されている場合は、処理部１１は、ステップＳ２３で、各データ記録層を示す情報に関連付けられた調整値を更新する。各データ記録層を示す情報に関連付けられた調整値が記録されていない場合は、処理部１１は、ステップＳ２４で、調整値記録領域２３に、各データ記録層を示す情報に関連付けて個々の調整値を記録する処理を行う。
【００５３】
以上詳述した如く、本実施の形態においては、２層以上の多数のデータ記録層を有する光ディスク２の一つのＲＥ層に、他の各データ記録層に対してデータの読み出し又は書き込みを行うための光ディスク装置１の動作条件の調整値を記録する。光ディスク装置１は、光ディスク２から調整値を読み出し、読み出した調整値を用いて、各データ記録層に対してデータの読み出し又は書き込みを行うための動作条件を調整する。このため、光ディスク装置１は、多数のデータ記録層を有する光ディスク２を使用する場合においても、データの読み出し又は書き込みを行うべく動作条件を調整するために必要な待機時間を短縮することができる。また本実施の形態においては、多数のデータ記録層を有する光ディスク２を使用する場合においても、光ディスク装置１の動作条件を調整するために必要な待機時間を短縮しながらも、光ディスク装置１及び光ディスク装置１のホスト装置のコストの増大を抑制することが可能である。
【００５４】
なお、本実施の形態においては、調整値記録領域２３を光ディスク２のＲＥ層２１１に設けた形態を示したが、本発明は、光ディスク２の他のＲＥ層に調整値記録領域２３を設けた形態であってもよい。また本実施の形態においては、光ディスク２がｎ個のＲＥ層及びｍ個のＲＯＭ層を有する形態を示したが、本発明は、光ディスク２がｎ個のＲＥ層を有し、ＲＯＭ層を有していない形態であってもよい。この形態の光ディスク２では、全てのＲＥ層に他のＲＥ層に係る動作条件の調整値を記録してもよい。この光ディスクを用いる場合は、光ディスク装置１は、任意のＲＥ層からデータを読み出すことにより、他のＲＥ層に係る動作条件の調整値を取得することができる。また本発明は、データ処理の開始時に光ディスク２の全てのデータ記録層に対して光ディスク装置１の動作条件を調整するのではなく、任意のデータ記録層に対するデータの読み出し又は書き込みを行う直前にそのデータ記録層に係る動作条件を調整する形態であってもよい。
【符号の説明】
【００５５】
１  光ディスク装置
１１  処理部
１２  ピックアップ
１６  不揮発性メモリ
１７  温度測定部
２  光ディスク
２１  ＲＥ層
２２  ＲＯＭ層
２３  調整値記録領域
【図１】
2011165270.tif 000003
【図２】
2011165270.tif 000004
【図３】
2011165270.tif 000005
【図４】
2011165270.tif 000006
【図５】
2011165270.tif 000007
【図６】
2011165270.tif 000008
【図７】
2011165270.tif 000009
【図８】
2011165270.tif 000010
【図９】
2011165270.tif 000011
【図１０】
2011165270.tif 000012
【図１１】
2011165270.tif 000013
【図１２】
2011165270.tif 000014
【図１３】
2011165270.tif 000015